【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）に、第１の複数のダウンリンクサブフレームに関連する第１の複数のデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記第１の複数のデータ送信の肯定応答である、
を備える、ワイヤレス通信の方法。
【請求項２】
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
をさらに備える、請求項１に記載の方法。
【請求項３】
第２のタグを生成することと、
前記ＵＥに、第２の複数のサブフレーム中で第２の複数のデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記第２の複数のデータ送信に肯定応答する、
をさらに備える、請求項２に記載の方法。
【請求項４】
前記受信された第１のＧＡＣＫが前記誤り検出テストに失敗したとき、前記方法は、  前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、請求項２に記載の方法。
【請求項５】
基地局から第１の複数のダウンリンクサブフレーム中で受信された第１の複数のデータ送信に対応する第１の複数の肯定応答／否定応答（ＡＣＫ／ＮＡＣＫ）を記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信することと
を備える、ワイヤレス通信の方法。
【請求項６】
前記第１のＧＡＣＫが前記基地局に送信されるとき、前記方法が、
前記第１のタグに対応するように前記ＵＥタグを修正すること
をさらに備える、請求項５に記載の方法。
【請求項７】
前記基地局から、第２のＧＡＣＫのための第２のトリガを受信することと、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信することと
をさらに備える、請求項６に記載の方法。
【請求項８】
前記第１のＧＡＣＫを前記送信することは、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信することを含む、請求項５に記載の方法。
【請求項９】
ユーザ機器（ＵＥ）に、第１の複数のダウンリンクサブフレームに関連する第１の複数のデータ送信を送るための手段と、
前記ＵＥに送られた前記第１の複数のダウンリンクサブフレームに関連する各データ送信についてカウンタを増分するための手段と、
前記カウンタがしきい値よりも大きいかまたはそれに等しいとき、前記ＵＥに、第１のグループ肯定応答／否定応答（ＧＡＣＫ）のための第１のトリガを送信するための手段と、ここにおいて、前記第１のトリガが第１のタグを備え、前記第１のＧＡＣＫが、前記ＵＥによって受信された前記第１の複数のデータ送信の肯定応答である、
を備える、ワイヤレス通信のための装置。
【請求項１０】
前記ＵＥから前記第１のＧＡＣＫを受信するための手段と、ここにおいて、前記受信された第１のＧＡＣＫが、前記第１の複数のダウンリンクサブフレームに関連する第１の複数の肯定応答／否定応答（ＡＣＫ／ＮＡＣＫ）を備える、
前記受信された第１のＧＡＣＫに対して誤り検出テストを実行するための手段と
をさらに備える、請求項９に記載の装置。
【請求項１１】
第２のタグを生成するための手段と、
前記ＵＥに、第２の複数のサブフレーム中で第２の複数のデータ送信を送るための手段と、
前記第２の複数のサブフレーム中で前記ＵＥに送られた各データ送信について前記カウンタを増分するための手段と、
前記カウンタが前記しきい値に等しいかまたはそれよりも大きいとき、前記ＵＥに、第２のＧＡＣＫのための第２のトリガを送信するための手段と、ここにおいて、前記第２のトリガが前記第２のタグを備え、前記第２のＧＡＣＫが、前記第２の複数のサブフレーム中で前記ＵＥによって受信された前記第２の複数のデータ送信に肯定応答する、
をさらに備える、請求項１０に記載の装置。
【請求項１２】
基地局から第１の複数のダウンリンクサブフレーム中で受信された第１の複数のデータ送信に対応する第１の複数の肯定応答／否定応答（ＡＣＫ／ＮＡＣＫ）を記憶するための手段と、
前記基地局から、第１のグループ肯定応答／否定応答（ＧＡＣＫ）を送るための第１のトリガを受信するための手段と、ここにおいて、前記第１のトリガが第１のタグを備える、
前記第１のタグがユーザ機器（ＵＥ）タグに対応しないとき、前記基地局に、前記第１の複数のＡＣＫ／ＮＡＣＫを少なくとも備える第１のＧＡＣＫを送信するための手段と
を備える、ワイヤレス通信のための装置。
【請求項１３】
前記第１のＧＡＣＫが前記基地局に送信されるとき、前記装置が、
前記第１のタグに対応するように前記ＵＥタグを修正するための手段
をさらに備える、請求項１２に記載の装置。
【請求項１４】
前記基地局から、第２のＧＡＣＫのための第２のトリガを受信するための手段と、ここにおいて、前記第２のトリガが第２のタグを備える、
前記第２のタグが前記ＵＥタグに一致しないとき、前記基地局に、第２の複数のＡＣＫ／ＮＡＣＫを含む第２のＧＡＣＫを送信するための手段と
をさらに備える、請求項１３に記載の装置。
【請求項１５】
請求項１〜４または請求項５〜８のいずれか一項に記載の方法を行うための命令を備えるコンピュータプログラム。
【手続補正２】
【補正対象書類名】明細書
【補正対象項目名】０１１４
【補正方法】変更
【補正の内容】
【０１１４】
[00127]以上の説明は、当業者が本明細書で説明された様々な態様を実施できるようにするために与えられた。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に、本願の出願当初の特許請求の範囲に記載された発明を付記する。
［Ｃ１］
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を備える、ワイヤレス通信の方法。
［Ｃ２］
前記第１のトリガが送信されるとき、前記カウンタをリセットすること
をさらに備える、Ｃ１に記載の方法。
［Ｃ３］
前記ＵＥからの前記第１のＧＡＣＫについて後続のサブフレームを監視すること
をさらに備える、Ｃ２に記載の方法。
［Ｃ４］
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
をさらに備える、Ｃ３に記載の方法。
［Ｃ５］
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
をさらに備える、Ｃ４に記載の方法。
［Ｃ６］
前記受信された第１のＧＡＣＫが前記誤り検出テストにパスしたとき、前記方法が、  第２のタグを生成すること
をさらに備える、Ｃ４に記載の方法。
［Ｃ７］
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に肯定応答する、
をさらに備える、Ｃ６に記載の方法。
［Ｃ８］
前記受信された第１のＧＡＣＫが前記誤り検出テストに失敗したとき、前記方法は、  前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ４に記載の方法。
［Ｃ９］
前記受信された第１のＧＡＣＫが前記誤り検出テストに失敗したとき、第２のＧＡＣＫのための第２のトリガを送ることを控えること、ここにおいて、前記第２のトリガが前記第１のタグを備える、
をさらに備える、Ｃ４に記載の方法。
［Ｃ１０］
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ４に記載の方法。
［Ｃ１１］
前記第１のＧＡＣＫが受信されないとき、第２のＧＡＣＫのための第２のトリガを送ることを控えること、ここにおいて、前記第２のトリガが前記第１のタグを備える、
をさらに備える、Ｃ３に記載の方法。
［Ｃ１２］
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信することと
を備える、ワイヤレス通信の方法。
［Ｃ１３］
前記第１のＧＡＣＫが前記基地局に送信されるとき、前記方法が、
前記第１のタグに対応するように前記ＵＥタグを修正すること
をさらに備える、Ｃ１２に記載の方法。
［Ｃ１４］
前記基地局から、第２のＧＡＣＫのための第２のトリガを受信することと、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信することと
をさらに備える、Ｃ１３に記載の方法。
［Ｃ１５］
前記第２のトリガが受信されたとき、ＡＣＫ／ＮＡＣＫの前記第１のグループをクリアすること
をさらに備える、Ｃ１４に記載の方法。
［Ｃ１６］
前記第１のＧＡＣＫが巡回冗長検査を含む、Ｃ１２に記載の方法。
［Ｃ１７］
前記第１のＧＡＣＫを前記送信することは、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信することを含む、Ｃ１２に記載の方法。
［Ｃ１８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、ＡＣＫ／ＮＡＣＫの前記第１のグループのみが前記第１のＧＡＣＫ中で送信される、Ｃ１７に記載の方法。
［Ｃ１９］
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送ることと
を備え、
ここにおいて、前記ＵＣＩを前記生成することは、前記ＵＣＩ送信がｅＰＵＳＣＨ中で送られるとき、前記ＧＡＣＫ、ＲＩ、およびＣＳＩを別々にコーディングおよび多重化することを備え、
ここにおいて、前記ＵＣＩを前記生成することは、前記ＵＣＩ送信がｅＰＵＣＣＨ中で送られるとき、前記ＧＡＣＫ、ＲＩ、およびＣＳＩをジョイントコーディングすることを備える、
ワイヤレス通信の方法。
［Ｃ２０］
前記ＵＣＩを前記生成することは、前記ＵＣＩ送信が前記ｅＰＵＣＣＨ中で送られるとき、あらかじめ決定されたサイズに前記ＵＣＩをゼロパディングすることをさらに備える、Ｃ１９に記載の方法。
［Ｃ２１］
ユーザ機器（ＵＥ）に、第１の複数のダウンリンクサブフレームに関連するデータ送信を送るための手段と、
前記ＵＥに送られた前記第１の複数のダウンリンクサブフレームに関連する各データ送信についてカウンタを増分するための手段と、
前記カウンタがしきい値よりも大きいかまたはそれに等しいとき、前記ＵＥに、第１のグループ肯定応答／否定応答（ＧＡＣＫ）のための第１のトリガを送信するための手段と、ここにおいて、前記第１のトリガが第１のタグを備え、前記第１のＧＡＣＫが、前記ＵＥによって受信された前記データ送信の肯定応答である、
を備える、ワイヤレス通信のための装置。
［Ｃ２２］
前記第１のトリガが送信されるとき、前記カウンタをリセットするための手段
をさらに備える、Ｃ２１に記載の装置。
［Ｃ２３］
前記ＵＥからの前記第１のＧＡＣＫについて後続のサブフレームを監視するための手段をさらに備える、Ｃ２２に記載の装置。
［Ｃ２４］
前記ＵＥから前記第１のＧＡＣＫを受信するための手段と、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行するための手段と
をさらに備える、Ｃ２３に記載の装置。
［Ｃ２５］
前記受信された第１のＧＡＣＫが前記誤り検出テストにパスしたとき、前記ＵＥに肯定応答（ＡＣＫ）を送信するための手段と、
前記受信された第１のＧＡＣＫが前記誤り検出テストにパスしなかったとき、前記ＵＥに否定応答（ＮＡＣＫ）を送信するための手段と
をさらに備える、Ｃ２４に記載の装置。
［Ｃ２６］
前記受信された第１のＧＡＣＫが前記誤り検出テストにパスしたとき、前記方法が、  第２のタグを生成するための手段
をさらに備える、Ｃ２４に記載の装置。
［Ｃ２７］
前記ＵＥに、第２の複数のサブフレーム中でデータ送信を送るための手段と、
前記第２の複数のサブフレーム中で前記ＵＥに送られた各データ送信について前記カウンタを増分するための手段と、
前記カウンタが前記しきい値に等しいかまたはそれよりも大きいとき、前記ＵＥに、第２のＧＡＣＫのための第２のトリガを送信するための手段と、ここにおいて、前記第２のトリガが前記第２のタグを備え、前記第２のＧＡＣＫが、前記第２の複数のサブフレーム中で前記ＵＥによって受信された前記データ送信に肯定応答する、
をさらに備える、Ｃ２６に記載の装置。
［Ｃ２８］
前記受信された第１のＧＡＣＫが前記誤り検出テストに失敗したとき、前記方法は、  前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ２４に記載の装置。
［Ｃ２９］
前記受信された第１のＧＡＣＫが前記誤り検出テストに失敗したとき、第２のＧＡＣＫのための第２のトリガを送ることを控えるための手段、ここにおいて、前記第２のトリガが前記第１のタグを備える、
をさらに備える、Ｃ２４に記載の装置。
［Ｃ３０］
前記ＵＥからの前記第１のＧＡＣＫが受信されないとき、前記ＵＥに、第２のＧＡＣＫのための第２のトリガを送信するための手段と、ここにおいて、前記第２のトリガが前記第１のタグを備える、
前記ＵＥから前記第２のＧＡＣＫを受信するための手段と、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
をさらに備える、Ｃ２３に記載の装置。
［Ｃ３１］
前記第１のＧＡＣＫが受信されないとき、第２のＧＡＣＫのための第２のトリガを送ることを控えるための手段、ここにおいて、前記第２のトリガが前記第１のタグを備える、をさらに備える、Ｃ２３に記載の装置。
［Ｃ３２］
基地局から第１の複数のダウンリンクサブフレーム中で受信されたデータ送信の第１のグループに対応する肯定応答／否定応答（ＡＣＫ／ＮＡＣＫ）の第１のグループを記憶するための手段と、
前記基地局から、第１のグループ肯定応答／否定応答（ＧＡＣＫ）を送るための第１のトリガを受信するための手段と、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信するための手段と
を備える、ワイヤレス通信のための装置。
［Ｃ３３］
前記第１のＧＡＣＫが前記基地局に送信されるとき、前記装置が、
前記第１のタグに対応するように前記ＵＥタグを修正するための手段
をさらに備える、Ｃ３２に記載の装置。
［Ｃ３４］
前記基地局から、第２のＧＡＣＫのための第２のトリガを受信するための手段と、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信するための手段と
をさらに備える、Ｃ３３に記載の装置。
［Ｃ３５］
前記第２のトリガが受信されたとき、ＡＣＫ／ＮＡＣＫの前記第１のグループをクリアするための手段
をさらに備える、Ｃ３４に記載の装置。
［Ｃ３６］
前記第１のＧＡＣＫが巡回冗長検査を含む、Ｃ３２に記載の装置。
［Ｃ３７］
前記第１のＧＡＣＫを送信するための前記手段は、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信するための手段を含む、Ｃ３２に記載の装置。
［Ｃ３８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記装置が、ＡＣＫ／ＮＡＣＫの前記第１のグループのみを前記第１のＧＡＣＫ中で送信するための手段をさらに備える、Ｃ３７に記載の装置。
［Ｃ３９］
アップリンク制御情報（ＵＣＩ）を生成するための手段と、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送るための手段と
を備え、
ここにおいて、前記ＵＣＩを生成するための前記手段は、前記ＵＣＩ送信がｅＰＵＳＣＨ中で送られるとき、前記ＧＡＣＫ、ＲＩ、およびＣＳＩを別々にコーディングおよび多重化するように構成され、
ここにおいて、前記ＵＣＩを生成するための前記手段は、前記ＵＣＩ送信がｅＰＵＣＣＨ中で送られるとき、前記ＧＡＣＫ、ＲＩ、およびＣＳＩをジョイントコーディングするように構成された、
を備える、ワイヤレス通信のための装置。
［Ｃ４０］
前記ＵＣＩを生成するための前記手段は、前記ＵＣＩ送信が前記ｅＰＵＣＣＨ中で送られるとき、あらかじめ決定されたサイズに前記ＵＣＩをゼロパディングするようにさらに構成された、Ｃ３９に記載の装置。
［Ｃ４１］
ワイヤレス通信のための装置であって、
メモリと、
前記メモリに結合された少なくとも１つのプロセッサと
を備え、前記少なくとも１つのプロセッサは、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を行うように構成された、
装置。
［Ｃ４２］
前記少なくとも１つのプロセッサは、前記第１のトリガが送信されるとき、前記カウンタをリセットするようにさらに構成された、Ｃ４１に記載の装置。
［Ｃ４３］
前記少なくとも１つプロセッサが、前記ＵＥからの前記第１のＧＡＣＫについて後続のサブフレームを監視するようにさらに構成された、Ｃ４２に記載の装置。
［Ｃ４４］
前記少なくとも１つのプロセッサは、
前記ＵＥから前記第１のＧＡＣＫを受信することと、ここにおいて、前記受信された第１のＧＡＣＫが、前記第１の複数のダウンリンクサブフレームに関連する肯定応答／否定応答（ＡＣＫ／ＮＡＣＫ）の第１のグループを備える、
前記受信された第１のＧＡＣＫに対して誤り検出テストを実行することと
を行うようにさらに構成された、Ｃ４３に記載の装置。
［Ｃ４５］
前記少なくとも１つのプロセッサは、
前記受信された第１のＧＡＣＫが前記誤り検出テストにパスしたとき、前記ＵＥに肯定応答（ＡＣＫ）を送信することと、
前記受信された第１のＧＡＣＫが前記誤り検出テストにパスしなかったとき、前記ＵＥに否定応答（ＮＡＣＫ）を送信することと
を行うようにさらに構成された、Ｃ４４に記載の装置。
［Ｃ４６］
前記少なくとも１つプロセッサは、前記受信された第１のＧＡＣＫが前記誤り検出テストにパスしたとき、第２のタグを生成するように構成された、Ｃ４４に記載の装置。
［Ｃ４７］
前記少なくとも１つのプロセッサは、
前記ＵＥに、第２の複数のサブフレーム中でデータ送信を送ることと、
前記第２の複数のサブフレーム中で前記ＵＥに送られた各データ送信について前記カウンタを増分することと、
前記カウンタが前記しきい値に等しいかまたはそれよりも大きいとき、前記ＵＥに、第２のＧＡＣＫのための第２のトリガを送信することと、ここにおいて、前記第２のトリガが前記第２のタグを備え、前記第２のＧＡＣＫが、前記第２の複数のサブフレーム中で前記ＵＥによって受信された前記データ送信に肯定応答する、
を行うようにさらに構成された、Ｃ４６に記載の装置。
［Ｃ４８］
前記受信された第１のＧＡＣＫが前記誤り検出テストに失敗したとき、前記少なくとも１つのプロセッサは、
前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うように構成された、Ｃ４４に記載の装置。
［Ｃ４９］
前記少なくとも１つのプロセッサは、
前記受信された第１のＧＡＣＫが前記誤り検出テストに失敗したとき、第２のＧＡＣＫのための第２のトリガを送ることを控えること、ここにおいて、前記第２のトリガが前記第１のタグを備える、
を行うようにさらに構成された、Ｃ４４に記載の装置。
［Ｃ５０］
前記少なくとも１つのプロセッサは、
前記ＵＥからの前記第１のＧＡＣＫが受信されないとき、前記ＵＥに、第２のＧＡＣＫのための第２のトリガを送信することと、ここにおいて、前記第２のトリガが前記第１のタグを備える、
前記ＵＥから前記第２のＧＡＣＫを受信することと、ここにおいて、前記第２のＧＡＣＫが、前記第１の複数のダウンリンクサブフレームに関連するＡＣＫ／ＮＡＣＫの前記第１のグループと、第２の複数のダウンリンクサブフレームに関連するＡＣＫ／ＮＡＣＫの第２のグループとを備える、
を行うようにさらに構成された、Ｃ４３に記載の装置。
［Ｃ５１］
前記少なくとも１つのプロセッサは、
前記第１のＧＡＣＫが受信されないとき、第２のＧＡＣＫのための第２のトリガを送ることを控えること、ここにおいて、前記第２のトリガが前記第１のタグを備える、
を行うようにさらに構成された、Ｃ４３に記載の装置。
［Ｃ５２］
ワイヤレス通信のための装置であって、
メモリと、
前記メモリに結合された少なくとも１つのプロセッサと
を備え、前記少なくとも１つのプロセッサは、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、    前記第１のタグがユーザ機器（ＵＥ）タグに対応しないとき、前記基地局に、ＡＣＫ／ＮＡＣＫの前記第１のグループを少なくとも備える第１のＧＡＣＫを送信することと  を行うように構成された、
装置。
［Ｃ５３］
前記第１のＧＡＣＫが前記基地局に送信されたとき、前記少なくとも１つのプロセッサが、
前記第１のタグに対応するように前記ＵＥタグを修正する
ように構成された、Ｃ５２に記載の装置。
［Ｃ５４］
前記少なくとも１つのプロセッサは、
前記基地局から、第２のＧＡＣＫのための第２のトリガを受信することと、ここにおいて、前記第２のトリガが第２のタグを備える、
前記第２のタグが前記ＵＥタグに一致しないとき、前記基地局に、ＡＣＫ／ＮＡＣＫの第２のグループを含む第２のＧＡＣＫを送信することと
を行うようにさらに構成された、Ｃ５３に記載の装置。
［Ｃ５５］
前記少なくとも１つのプロセッサは、
前記第２のトリガが受信されたとき、ＡＣＫ／ＮＡＣＫの前記第１のグループをクリアする
ようにさらに構成された、Ｃ５４に記載の装置。
［Ｃ５６］
前記第１のＧＡＣＫが巡回冗長検査を含む、Ｃ５２に記載の装置。
［Ｃ５７］
前記少なくとも１つのプロセッサは、前記第１のタグが前記ＵＥタグに等しいとき、前記基地局に、ＡＣＫ／ＮＡＣＫの前記第１のグループとＡＣＫ／ＮＡＣＫの第２のグループとのうちの１つまたは複数を送信することによって、前記第１のＧＡＣＫを送信するようにさらに構成された、Ｃ５２に記載の装置。
［Ｃ５８］
ＡＣＫ／ＮＡＣＫの前記第２のグループが、第２の複数のダウンリンクサブフレーム中で受信されたデータ送信の第２のグループに対応し、ここにおいて、ＡＣＫ／ＮＡＣＫの前記第１のグループおよびＡＣＫ／ＮＡＣＫの前記第２のグループが、同じハイブリッド自動再送要求（ＨＡＲＱ）プロセスに対応する場合、前記少なくとも１つのプロセッサは、ＡＣＫ／ＮＡＣＫの前記第１のグループのみを前記第１のＧＡＣＫ中でである送信するようにさらに構成された、Ｃ５７に記載の装置。
［Ｃ５９］
ワイヤレス通信のための装置であって、
メモリと、
前記メモリに結合された少なくとも１つのプロセッサと
を備え、前記少なくとも１つのプロセッサは、
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、    リッスンビフォアトークサブフレーム中でアップリンク制御情報（ＵＣＩ）送信を送ることと
を行うように構成され、
ここにおいて、前記少なくとも１つのプロセッサは、前記ＵＣＩ送信がｅＰＵＳＣＨ中で送られるとき、前記ＧＡＣＫ、ＲＩ、およびＣＳＩを別々にコーディングおよび多重化することによって、前記ＵＣＩを生成するように構成され、
ここにおいて、前記少なくとも１つのプロセッサは、前記ＵＣＩ送信がｅＰＵＣＣＨ中で送られるとき、前記ＧＡＣＫ、ＲＩ、およびＣＳＩをジョイントコーディングすることによって、前記ＵＣＩを生成するように構成された、
装置。
［Ｃ６０］
前記少なくとも１つのプロセッサは、前記ＵＣＩ送信がｅＰＵＣＣＨ中で送られるとき、あらかじめ決定されたサイズに前記ＵＣＩをゼロパディングすることによって、前記ＵＣＩを生成するようにさらに構成された、Ｃ５９に記載の装置。
［Ｃ６１］
ワイヤレス通信のためのコンピュータ実行可能コードを記憶するコンピュータ可読媒体であって、
ユーザ機器（ＵＥ）に、第１の複数のダウンリンクサブフレームに関連するデータ送信を送ることと、
前記ＵＥに送られた前記第１の複数のダウンリンクサブフレームに関連する各データ送信についてカウンタを増分することと、
前記カウンタがしきい値よりも大きいかまたはそれに等しいとき、前記ＵＥに、第１のグループ肯定応答／否定応答（ＧＡＣＫ）のための第１のトリガを送信することと、ここにおいて、前記第１のトリガが第１のタグを備え、前記第１のＧＡＣＫが、前記ＵＥによって受信された前記データ送信の肯定応答である、
を行うためのコードを備える、コンピュータ可読媒体。
［Ｃ６２］
ワイヤレス通信のためのコンピュータ実行可能コードを記憶するコンピュータ可読媒体であって、
基地局から第１の複数のダウンリンクサブフレーム中で受信されたデータ送信の第１のグループに対応する肯定応答／否定応答（ＡＣＫ／ＮＡＣＫ）の第１のグループを記憶することと、
前記基地局から、第１のグループ肯定応答／否定応答（ＧＡＣＫ）を送るための第１のトリガを受信することと、ここにおいて、前記第１のトリガが第１のタグを備える、
前記第１のタグがユーザ機器（ＵＥ）タグに対応しないとき、前記基地局に、ＡＣＫ／ＮＡＣＫの前記第１のグループを少なくとも備える第１のＧＡＣＫを送信することと
を行うためのコードを備える、コンピュータ可読媒体。
［Ｃ６３］
ワイヤレス通信のためのコンピュータ実行可能コードを記憶するコンピュータ可読媒体であって、
アップリンク制御情報（ＵＣＩ）を生成することと、前記ＵＣＩが、グループ肯定応答／否定応答（ＧＡＣＫ）、ランクインジケータ（ＲＩ）、およびＣＳＩ送信を含む、
リッスンビフォアトークサブフレーム中でアップリンク制御情報（ＵＣＩ）送信を送ることと
を行うためのコードを備え、
ここにおいて、前記ＵＣＩを生成するための前記コードは、前記ＵＣＩ送信がｅＰＵＳＣＨ中で送られるとき、前記ＧＡＣＫ、ＲＩ、およびＣＳＩを別々にコーディングおよび多重化するように構成され、
ここにおいて、前記ＵＣＩを生成するための前記コードは、前記ＵＣＩ送信がｅＰＵＣＣＨ中で送られるとき、前記ＧＡＣＫ、ＲＩ、およびＣＳＩをジョイントコーディングするように構成された、
コンピュータ可読媒体。